(57)【要約】【課題】  ２つの表示間の継ぎ目部における額縁を見えなくする。【解決手段】  映像表示装置１０は、第１額縁２４Ａを備える第１液晶表示パネル２４と、第１液晶表示パネル２４と第１方向に並んで配置され、第２額縁２４Ａを備える第２液晶表示パネル２４と、第１及び第２液晶表示パネル２４と距離を空けてそれぞれ配置された第１及び第２プリズムシート２５とを含む。第１プリズムシート２５は、第１液晶表示パネル２４と第２液晶表示パネル２４との継ぎ目部から離れる方向に傾く傾斜面を有する複数の第１三角プリズムを有する。第２プリズムシート２５は、前記継ぎ目部から離れる方向に傾く傾斜面を有する複数の第２三角プリズムを有する。第１及び第２プリズムシート２５を介して第１及び第２液晶表示パネル２４を正面から見た場合に、継ぎ目部における第１及び第２額縁２４Ａが見えない。【選択図】  図４
2015166832.tif 000002
【特許請求の範囲】
【請求項１】
第１額縁を備える第１液晶表示パネルと、
前記第１液晶表示パネルと第１方向に並んで配置され、第２額縁を備える第２液晶表示パネルと、
前記第１及び第２液晶表示パネルと距離を空けてそれぞれ配置された第１及び第２プリズムシートと、
を具備し、
前記第１プリズムシートは、第１土台と、前記第１土台上に設けられた複数の第１三角プリズムとを備え、前記複数の第１三角プリズムの各々は、前記第１液晶表示パネルと前記第２液晶表示パネルとの継ぎ目部から離れる方向に傾く傾斜面を有し、
前記第２プリズムシートは、第２土台と、前記第２土台上に設けられた複数の第２三角プリズムとを備え、前記複数の第２三角プリズムの各々は、前記継ぎ目部から離れる方向に傾く傾斜面を有し、
前記第１及び第２プリズムシートを介して前記第１及び第２液晶表示パネルを正面から見た場合に、前記継ぎ目部における第１及び第２額縁が見えないことを特徴とする映像表示装置。
【請求項２】
前記第１及び第２三角プリズムの各々の傾斜角α、前記第１及び第２土台の各々の高さｄ２、前記第１及び第２プリズムシートの屈折率ｎ、前記距離Ｄとすると、
前記継ぎ目部における第１及び第２額縁の各々の幅Ｗ１は、
Ｗ１≦ｄ２・tan（α−β）＋Ｄ・tanγ
β＝sin−１｛（１／ｎ）・sinα｝
γ＝sin−１｛ｎ・sin（α−β）｝
を満たすことを特徴とする請求項１に記載の映像表示装置。
【請求項３】
第１額縁を備える第１液晶表示パネルと、
前記第１液晶表示パネルと第１方向に並んで配置され、第２額縁を備える第２液晶表示パネルと、
前記第１及び第２液晶表示パネルと距離を空けてそれぞれ配置された第１及び第２プリズムシートと、
を具備し、
前記第１プリズムシートは、第１土台と、前記第１土台上に設けられた複数の第１三角プリズムとを備え、前記複数の第１三角プリズムの各々は、前記第１液晶表示パネルと前記第２液晶表示パネルとの継ぎ目部から離れる方向に傾く傾斜面を有し、
前記第２プリズムシートは、第２土台と、前記第２土台上に設けられた複数の第２三角プリズムとを備え、前記複数の第２三角プリズムの各々は、前記継ぎ目部から離れる方向に傾く傾斜面を有し、
前記第１及び第２プリズムシートを介して前記第１及び第２液晶表示パネルを角度θだけ斜めから見た場合に、前記継ぎ目部における第１及び第２額縁が見えないことを特徴とする映像表示装置。
【請求項４】
前記第１及び第２三角プリズムの各々の傾斜角α、前記第１及び第２土台の各々の高さｄ２、前記第１及び第２プリズムシートの屈折率ｎ、前記距離Ｄとすると、
前記継ぎ目部における第１及び第２額縁の各々の幅Ｗ２は、
Ｗ２≦ｄ２・tan（α−βＲ）＋Ｄ・tanγＲ
βＲ＝sin−１｛（１／ｎ）・sin（α＋θ）｝
γＲ＝sin−１｛ｎ・sin（α−βＲ）｝
を満たすことを特徴とする請求項３に記載の映像表示装置。
【請求項５】
前記第１及び第２液晶表示パネルに画像データを送る制御回路をさらに具備し、
前記第１及び第２液晶表示パネルの各々の画像は、前記継ぎ目部側に配置された重複領域を備え、
前記重複領域の幅Ｗ３は、
Ｗ３≧ｄ２｛tan（α−β）−tan（α−βＲ）｝＋Ｄ（tanγ−tanγＲ）
β＝sin−１｛（１／ｎ）・sinα｝
γ＝sin−１｛ｎ・sin（α−β）｝
を満たすことを特徴とする請求項４に記載の映像表示装置。
【請求項６】
前記第１プリズムシートは、前記継ぎ目部以外の第１額縁の上方に設けられ、前記第１土台の中央に向かって傾く複数の三角プリズムを備え、
前記第２プリズムシートは、前記継ぎ目部以外の第２額縁の上方に設けられ、前記第２土台の中央に向かって傾く複数の三角プリズムを備えることを特徴とする請求項１乃至５のいずれかに記載の映像表示装置。
【請求項７】
前記第１及び第２液晶表示パネルは、可動役物であることを特徴とする請求項１乃至６のいずれかに記載の映像表示装置。
【発明の詳細な説明】
【技術分野】
【０００１】
本発明は、映像表示装置に係り、特に液晶表示装置を備えた映像表示装置に関する。
【背景技術】
【０００２】
液晶表示装置は、様々な映像表示装置に使用されており、例えば、遊技機としてのパチンコ機やスロットマシンなどにも使用されている。近年、パチンコ機やスロットマシンでは、大型液晶表示装置などのメイン表示と、可動役物（例えば、プラスチック素材にＬＥＤなどを装備し、きらびやかなに光を放ちながら動くギミック）とが配置されるケースがある。また、サブ表示を行うための小型液晶表示装置が配置され、メイン表示のコンテンツ及び音に同期をしながら時にはコミカルに可動するサブ表示は、その演出を盛り上げる手法として使われている。
【０００３】
例えば、２枚の液晶表示装置を使った表示技術において、２枚の液晶表示装置を個別に動かし、２枚の液晶表示装置が左右ぴったりに並ぶ演出を行うものがある。そして、２枚の液晶表示装置で１つの連続した表示を行ったり、これら可動の液晶表示装置が行うサブ表示を、大型液晶表示装置が行うメイン表示に没入させたりする。しかし、あたかも１枚の液晶表示装置によるサブ表示に見える効果を期待した場合、２枚の液晶表示装置の継ぎ目部においてそれぞれの額縁が見えてしまい、２つのサブ表示が明らかに分離して見えてしまう。また、液晶表示装置の額縁が目立つために、メイン表示にサブ表示が没入する効果に欠けてしまう。
【先行技術文献】
【特許文献】
【０００４】
【特許文献１】特開平８−１３６８８６号公報
【発明の概要】
【発明が解決しようとする課題】
【０００５】
本発明は、２つの表示間の継ぎ目部における額縁を見えなくすることが可能な映像表示装置を提供する。
【課題を解決するための手段】
【０００６】
本発明の一態様に係る映像表示装置は、第１額縁を備える第１液晶表示パネルと、前記第１液晶表示パネルと第１方向に並んで配置され、第２額縁を備える第２液晶表示パネルと、前記第１及び第２液晶表示パネルと距離を空けてそれぞれ配置された第１及び第２プリズムシートとを具備する。前記第１プリズムシートは、第１土台と、前記第１土台上に設けられた複数の第１三角プリズムとを備え、前記複数の第１三角プリズムの各々は、前記第１液晶表示パネルと前記第２液晶表示パネルとの継ぎ目部から離れる方向に傾く傾斜面を有する。前記第２プリズムシートは、第２土台と、前記第２土台上に設けられた複数の第２三角プリズムとを備え、前記複数の第２三角プリズムの各々は、前記継ぎ目部から離れる方向に傾く傾斜面を有する。前記第１及び第２プリズムシートを介して前記第１及び第２液晶表示パネルを正面から見た場合に、前記継ぎ目部における第１及び第２額縁が見えないことを特徴とする。
【０００７】
本発明の一態様に係る映像表示装置は、第１額縁を備える第１液晶表示パネルと、前記第１液晶表示パネルと第１方向に並んで配置され、第２額縁を備える第２液晶表示パネルと、前記第１及び第２液晶表示パネルと距離を空けてそれぞれ配置された第１及び第２プリズムシートとを具備する。前記第１プリズムシートは、第１土台と、前記第１土台上に設けられた複数の第１三角プリズムとを備え、前記複数の第１三角プリズムの各々は、前記第１液晶表示パネルと前記第２液晶表示パネルとの継ぎ目部から離れる方向に傾く傾斜面を有する。前記第２プリズムシートは、第２土台と、前記第２土台上に設けられた複数の第２三角プリズムとを備え、前記複数の第２三角プリズムの各々は、前記継ぎ目部から離れる方向に傾く傾斜面を有する。前記第１及び第２プリズムシートを介して前記第１及び第２液晶表示パネルを角度θだけ斜めから見た場合に、前記継ぎ目部における第１及び第２額縁が見えないことを特徴とする。
【発明の効果】
【０００８】
本発明によれば、２つの表示間の継ぎ目部における額縁を見えなくすることが可能な映像表示装置を提供することができる。
【図面の簡単な説明】
【０００９】
【図１】第１実施形態に係る映像表示装置のブロック図。
【図２】液晶表示装置に含まれる画素アレイの回路図。
【図３】液晶表示装置の平面図及び断面図。
【図４】プリズムシートの断面図。
【図５】プリズムシートの斜視図。
【図６】観察者がプリズムシートを介して液晶表示装置を見た場合の平面図。
【図７】プリズムシートのパラメーターを説明する断面図。
【図８】三角プリズムの傾斜角と光のズレ量との一例を示す表。
【図９】第１変形例に係る液晶表示装置の平面図。
【図１０】第１変形例に係るプリズムシートの斜視図。
【図１１】第２変形例に係る液晶表示装置の平面図。
【図１２】第２変形例に係るプリズムシートの斜視図。
【図１３】実施例に係る映像表示装置の模式図。
【図１４】他の実施例に係る映像表示装置の模式図。
【図１５】比較例に係る映像表示装置の模式図。
【図１６】第１実施形態の液晶表示装置を角度θだけ斜め方向から見た様子を説明する図。
【図１７】第１実施形態の液晶表示装置を角度θだけ斜め方向から見た様子を説明する図。
【図１８】第２実施形態に係るプリズムシートのパラメーターを説明する断面図。
【図１９】プリズムシートにおける角度θと光のズレ量との一例を示す表。
【図２０】正面から画面を見た場合に継ぎ目部が見えないように構成された液晶表示装置の斜視図。
【図２１】図２０に示した液晶表示装置を角度θだけ右側から見た様子を説明する図。
【図２２】実施例に係る液晶表示パネルが表示する画像を説明する図。
【図２３】実施例に係る液晶表示装置を正面から画面を見た様子を説明する斜視図。
【図２４】実施例に係る液晶表示装置を角度θだけ右側から画面を見た様子を説明する斜視図。
【発明を実施するための形態】
【００１０】
以下、実施形態について図面を参照して説明する。ただし、図面は模式的または概念的なものであり、各図面の寸法および比率等は必ずしも現実のものと同一とは限らないことに留意すべきである。また、図面の相互間で同じ部分を表す場合においても、互いの寸法の関係や比率が異なって表される場合もある。特に、以下に示す幾つかの実施形態は、本発明の技術思想を具体化するための装置および方法を例示したものであって、構成部品の形状、構造、配置等によって、本発明の技術思想が特定されるものではない。なお、以下の説明において、同一の機能及び構成を有する要素については同一符号を付し、重複説明は必要な場合にのみ行う。
【００１１】
［第１実施形態］
［１．映像表示装置１０の回路構成］
まず、映像表示装置１０の回路構成の一例について説明する。図１は、本発明の第１実施形態に係る映像表示装置１０のブロック図である。映像表示装置１０は、液晶表示装置１１と、走査ドライバ（走査線駆動回路）１２−１、１２−２と、信号ドライバ（信号線駆動回路）１３−１、１３−２と、共通電圧供給回路１４と、電圧発生回路１５と、制御回路１６とを備える。本実施形態では、アクティブマトリクス型の液晶表示装置を例に挙げて説明する。
【００１２】
液晶表示装置１１は、サブ表示装置１１−１、及びサブ表示装置１１−２を備える。サブ表示装置１１−１、１１−２の各々には、それぞれがロウ方向（Ｘ方向）に延びる複数の走査線ＧＬと、それぞれがカラム方向（Ｙ方向）に延びる複数の信号線ＳＬとが配設される。複数の走査線ＧＬと複数の信号線ＳＬとの交差領域の各々には、画素１７が配置される。複数の画素１７は、マトリクス状に配置される。
【００１３】
図２は、液晶表示装置１１に含まれる画素アレイの回路図である。図２では、４つの画素を抽出して示している。画素１７は、スイッチング素子１８、液晶容量Ｃｌｃ、及び蓄積容量Ｃｓを備える。スイッチング素子１８としては、例えばＴＦＴ（Thin Film Transistor）が用いられる。
【００１４】
ＴＦＴ１８のソースは、信号線ＳＬに電気的に接続される。ＴＦＴ１８のゲートは、走査線ＧＬに電気的に接続される。ＴＦＴ１８のドレインは、液晶容量Ｃｌｃに電気的に接続される。液晶容量Ｃｌｃは、画素電極と、共通電極と、これらに挟まれた液晶層とにより構成される。
【００１５】
蓄積容量Ｃｓは、液晶容量Ｃｌｃに並列接続される。蓄積容量Ｃｓは、画素電極に生じる電位変動を抑制するとともに、画素電極に印加された駆動電圧を次の信号に対応する駆動電圧が印加されるまでの間保持する機能を有する。蓄積容量Ｃｓは、画素電極と、蓄積電極（蓄積容量線）と、これらに挟まれた絶縁膜とにより構成される。共通電極及び蓄積電極には、共通電圧供給回路１４により共通電圧Ｖｃｏｍが印加される。
【００１６】
図１において、走査ドライバ１２−１は、サブ表示装置１１−１に配設された複数の走査線ＧＬに接続され、制御回路１６から垂直制御信号ＶＳ１を受ける。走査ドライバ１２−１は、垂直制御信号ＶＳ１に基づいて、サブ表示装置１１−１に含まれるＴＦＴ１８のオン及びオフを制御するための走査信号を走査線ＧＬに印加する。走査ドライバ１２−２は、サブ表示装置１１−２に配設された複数の走査線ＧＬに接続され、制御回路１６から垂直制御信号ＶＳ２を受ける。走査ドライバ１２−２は、垂直制御信号ＶＳ２に基づいて、サブ表示装置１１−２に含まれるＴＦＴ１８のオン及びオフを制御するための走査信号を走査線ＧＬに印加する。
【００１７】
信号ドライバ１３−１は、サブ表示装置１１−１に配設された複数の信号線ＳＬに接続され、制御回路１６から水平制御信号ＨＳ１、及び表示データＤＴ１を受ける。信号ドライバ１３−１は、水平制御信号ＨＳ１に基づいて、表示データＤＴ１に対応する階調信号（駆動電圧）を信号線ＳＬに印加する。信号ドライバ１３−２は、サブ表示装置１１−２に配設された複数の信号線ＳＬに接続され、制御回路１６から水平制御信号ＨＳ２、及び表示データＤＴ２を受ける。信号ドライバ１３−２は、水平制御信号ＨＳ２に基づいて、表示データＤＴ２に対応する階調信号（駆動電圧）を信号線ＳＬに印加する。
【００１８】
共通電圧供給回路１４は、共通電圧Ｖｃｏｍを生成してこれをサブ表示装置１１−１、１１−２に供給する。
【００１９】
制御回路１６は、外部から画像データＤＴを受ける。制御回路１６は、画像データＤＴに基づいて、サブ表示装置１１−１用の画像データＤＴ１、及びサブ表示装置１１−２用の画像データＤＴ２を生成する。制御回路１６は、垂直制御信号ＶＳ１、ＶＳ２をそれぞれ走査ドライバ１２−１、１２−２に送り、また、水平制御信号ＨＳ１、ＨＳ２、及び画像データＤＴ１、ＤＴ２をそれぞれ信号ドライバ１３−１、１３−２に送る。
【００２０】
電圧発生回路１５は、外部から電源を受ける。電圧発生回路１５は、走査信号を生成するために必要なゲート電圧を生成してこれを走査ドライバ１２−１、１２−２に供給する。また、電圧発生回路１５は、画素を駆動するために必要な駆動電圧を生成してこれを信号ドライバ１３−１、１３−２に供給する。この他にも必要に応じて、電圧発生回路１５は、映像表示装置１０の動作に必要な各種電圧を生成して各回路部に供給する。
【００２１】
このように構成された映像表示装置１０において、任意の画素１７に含まれるＴＦＴ１８がオン状態となると、駆動電圧が信号線ＳＬを介して画素電極に印加され、駆動電圧と共通電圧Ｖｃｏｍとの電圧差に応じて液晶の配向状態が変化する。これにより、光源部（バックライト）からサブ表示装置１１−１、１１−２に入射する光の透過状態が変化して画像表示が行われる。
【００２２】
［２．液晶表示装置１１の構成］
次に、液晶表示装置１１の構成について説明する。図３は、液晶表示装置１１の平面図（ａ）及び断面図（ｂ）である。
【００２３】
図３（ａ）の平面図において、サブ表示装置１１−１は、矩形の画面２１−１と、画面２１−１の周囲を囲む矩形の額縁２０−１とを備える。サブ表示装置１１−２は、矩形の画面２１−２と、画面２１−２の周囲を囲む矩形の額縁２０−２とを備える。額縁は、画面と概略同一平面内にあって画像が表示されない領域である。画面２１−１、２１−２にはそれぞれ、画像ＩＭ１、ＩＭ２が表示される。図３（ａ）では、一例として半円の画像ＩＭ１、ＩＭ２を図示している。なお、図３（ａ）では、図３（ｂ）に図示されたプリズムシート２５−１、２５−２の図示を省略している。
【００２４】
図３（ｂ）の断面図において、サブ表示装置１１−１は、ケース２２−１、光源部（バックライト部）２３−１、液晶表示パネル２４−１、及びプリズムシート２５−１を備える。光源部２３−１、及び液晶表示パネル２４−１は、例えばケース２２−１に収容される。液晶表示パネル２４−１は、光源部２３−１の上方に配置される。プリズムシート２５−１は、液晶表示パネル２４−１の上方に配置され、また、ケース２２−１の枠（縁）の上部に接するように設けられる。プリズムシート２５−１は、液晶表示パネル２４−１と同じサイズ（平面形状）を有する。
【００２５】
液晶表示パネル２４−１は、より具体的には、その周囲に額縁２４Ａ−１を備え、額縁２４Ａ−１の内側が画面である。額縁２４Ａ−１は、遮光膜で遮光された黒色の部分であり、額縁２４Ａ−１には、液晶表示パネル２４−１の画素アレイの周辺回路などが配置される。同様に、サブ表示装置１１−２は、ケース２２−２、光源部２３−２、液晶表示パネル２４−２、及びプリズムシート２５−２を備える。また、液晶表示パネル２４−２は、その周囲に額縁２４Ａ−２を備える。
【００２６】
図３（ａ）の平面図における額縁２０−１は、図３（ｂ）の断面図における額縁２４Ａ−１及びケース２２−１の枠を合わせた部分に対応する。同様に、図３（ａ）の平面図における額縁２０−２は、図３（ｂ）の断面図における額縁２４Ａ−２及びケース２２−２の枠を合わせた部分に対応する。なお、液晶表示パネルを収容するケースは、本発明の本質的な要素ではなく、よって、液晶表示パネルの額縁とケースの枠とを特に区別する必要はなく、画像が表示される領域（画面）の周辺部が液晶表示パネルの額縁を意味する。よって、特に明示して区別する場合を除いて、液晶表示パネル２４−１、２４−２の額縁２４Ａ−１、４Ａ−２はそれぞれ、サブ表示装置１１−１、１１−２の額縁２０−１、２０−２と同じ意味である。また、液晶表示パネル２４−１と液晶表示パネル２４−２との継ぎ目部２６におけるケース２２−１、２２−２の枠を除き、液晶表示パネル２４−１と液晶表示パネル２４−２とが直に並ぶようにして液晶表示装置１１を構成するような例も考えられる。
【００２７】
図４は、プリズムシート２５−１、２５−２の断面図である。図５は、プリズムシート２５−１、２５−２の斜視図である。
【００２８】
プリズムシート２５−１は、土台（ベース）２５Ａ−１と、土台２５Ａ−１の全面に設けられた複数の三角プリズム２５Ｂ−１とを備える。土台２５Ａ−１は、断面が矩形であり、サブ表示装置１１−１の外形と同じ矩形の平面形状を有する。複数の三角プリズム２５Ｂ−１は、画面２１−１の横方向に並んで配置される。各三角プリズム２５Ｂ−１は、断面が直角三角形の三角柱から構成される。同様に、プリズムシート２５−２は、土台２５Ａ−２と、土台２５Ａ−２の全面に設けられた複数の三角プリズム２５Ｂ−２とを備える。
【００２９】
三角プリズム２５Ｂ−１と三角プリズム２５Ｂ−２とは、互いの傾斜面が向き合うによう配置される。すなわち、三角プリズム２５Ｂ−１は、中央部（サブ表示装置１１−１とサブ表示装置１１−２とが接する部分）から離れる方向（図の左方向）に向かって傾く傾斜面を有する。また、三角プリズム２５Ｂ−２は、中央部から離れる方向（図の右方向）に向かって傾く傾斜面を有する。
【００３０】
画面２１−１と画面２１−２とは、継ぎ目部２６を介して並んで配置される。液晶表示パネル２４−１と液晶表示パネル２４−２とは、協同して１つの連続した画像を表示することができる。もちろん、液晶表示パネル２４−１と液晶表示パネル２４−２とは、個別の画像を表示することもできる。前述したように、制御回路１６は、サブ表示装置１１−１に画像データＤＴ１を送り、サブ表示装置１１−２に画像データＤＴ２を送る。サブ表示装置１１−１とサブ表示装置１１−２とが１つの連続した画像を表示する場合は、制御回路１６は、そのような表示を行うための画像データＤＴ１、ＤＴ２を生成する。
【００３１】
図４の矢印は、液晶表示パネル２４−１、２４−２からの表示光を示している。液晶表示パネル２４−１からの表示光は、プリズムシート２５−１の土台２５Ａ−１の界面、及び三角プリズム２５Ｂ−１の界面で屈折する。同様に、液晶表示パネル２４−２からの表示光は、プリズムシート２５−２の土台２５Ａ−２の界面、及び三角プリズム２５Ｂ−２の界面で屈折する。
【００３２】
図６は、観察者がプリズムシート２５−１、２５−２を介して液晶表示装置１１（サブ表示装置１１−１、１１−２を備える）を見た場合の平面図である。観察者には、液晶表示装置１１の１つの額縁２０及び１つの画面２１が見える。さらに、観察者には、１つの画面２１に１つの連続した画像ＩＭ（図６の例では円）が表示されているように見える。すなわち、プリズムシート２５−１、２５−２を用いてサブ表示装置１１−１、１１−２の表示光を屈折させることで、観察者にとって継ぎ目部２６を見えなくすることができる。
【００３３】
以下に、プリズムシート２５−１、２５−２、及び額縁２０−１、２０−２の条件について説明する。図７は、プリズムシート２５−２のパラメーターを説明する断面図である。プリズムシート２５−１のパラメーターの条件は、プリズムシート２５−２の傾斜面の向きが異なるだけであり、プリズムシート２５−２のパラメーターの条件を応用できる。
【００３４】
図７に示したパラメーターは、以下のような内容である。  
α：三角プリズムの傾斜角
ｘ：三角プリズムのｘ座標
ｄ１：三角プリズムの高さ
ｄ２：プリズムシートの土台の高さ
Ｄ：プリズムシートと液晶表示パネルとの距離
なお、三角プリズムのｘ座標とは、傾斜角（仰角）の頂点からの水平距離である。プリズムシート２５−１、２５−２は、例えばアクリル（屈折率ｎ＝１．４９程度）で構成される。
【００３５】
液晶表示パネル２４−２から出射した表示光がプリズムシート２５−２を透過した後の光のズレ量Δは、以下の式（１）で表される。
【００３６】
△＝（ｘ・tanα＋ｄ２）・tan（α−β）＋Ｄ・tanγ             ・・・（１）
０≦ｘ＜ｄ１／tanα
β＝sin−１｛（１／ｎ）・sinα｝
γ＝sin−１｛ｎ・sin（α−β）｝
額縁２０−２の端（プリズムシート２５−２の端）は、ｘ＝０であり、ｘ＝０の場合における光のズレ量Δ０は、式（１）から以下の式（２）が導かれる。
【００３７】
△０＝ｄ２・tan（α−β）＋Ｄ・tanγ             ・・・（２）
β＝sin−１｛（１／ｎ）・sinα｝
γ＝sin−１｛ｎ・sin（α−β）｝
図８は、三角プリズムの傾斜角αと光のズレ量Δ０との一例を示す表である。図８では、ｄ１＝０．２５ｍｍ、ｄ２＝１．７５ｍｍ、Ｄ＝１５ｍｍ、ｎ＝１．４９を一例として用いている。
【００３８】
例えばα＝４０°である場合、光のズレ量Δ０は、図８に示すように６．４６ｍｍとなる。よって、継ぎ目部２６において、額縁２０−１、２０−２の各々の幅が６．４６ｍｍである場合（額縁２０−１、２０−２を合わせた幅が１２．９２ｍｍである場合）、継ぎ目部２６がちょうど見えない状態となる。すなわち、図６の表示が実現できる。
【００３９】
従って、継ぎ目部２６における額縁２０−１、２０−２の各々の幅Ｗ１は、以下の式（３）を満たすように設定される。
【００４０】
Ｗ１≦Δ０＝ｄ２・tan（α−β）＋Ｄ・tanγ             ・・・（３）
β＝sin−１｛（１／ｎ）・sinα｝
γ＝sin−１｛ｎ・sin（α−β）｝
式（３）を満たすように、額縁２０−１、２０−２の各々の幅Ｗ１を設定することで、観察者によって継ぎ目部２６が見えない状態を実現できる。実際には、Ｗ１は、右辺とイコール又は近似であるか、例えば製造誤差を考慮した値の分だけ右辺より小さい値であることが望ましい。式（３）において、三角プリズムの高さｄ１は、Δ０の条件に含まれていない。ｄ１を小さくするにつれて必要とされる三角プリズムの数が増え、ｄ１を大きくするにつれて必要とされる三角プリズムの数が減るという関係を有する。ｄ１は、プリズムシート全体の高さに影響を与えるため、求められる仕様に応じて適宜設計される。
【００４１】
［３．変形例］
上記説明では、サブ表示装置１１−１、１１−２間の額縁が見えないようにしたが、同様の設計をサブ表示装置１１−１、１１−２の各々の周辺部に実施することにより、液晶表示装置１１の周辺の額縁を見えなくすることができる。
【００４２】
図９（ａ）は、第１変形例に係る液晶表示装置１１の平面図である。なお、図９（ａ）は、プリズムシートの図示を省略している。図１０は、第１変形例に係るプリズムシート２５−１、２５−２の斜視図である。サブ表示装置１１−１、１１−２はそれぞれ、図１０に示したプリズムシート２５−１、２５−２を備える。
【００４３】
プリズムシート２５−１は、土台２５Ａ−１と、複数の三角プリズム２５Ｂ−１とを備える。各三角プリズム２５Ｂ−１は、サブ表示装置１１−１の端部（少なくとも額縁２０−１の上部）に配置され、矩形に形成される。換言すると、三角プリズム２５Ｂ−１は、サブ表示装置１１−１の４辺に配置された４つの三角柱から構成される。三角プリズム２５Ｂ−１は、プリズムシート２５−１の内側（中心）に向かって傾く傾斜面を有する。
【００４４】
なお、図１０では、土台２５Ａ−１の周辺部に三角プリズム２５Ｂ−１が設けられているが、土台２５Ａ−１の中央に向かって土台２５Ａ−１の全面に三角プリズム２５Ｂ−１を設けてもよい。また、図１０では、四角形の三角プリズム２５Ｂ−１の角が丸まっているが、この形状は一例であり、三角プリズム２５Ｂ−１の角が直角であってもよい。また、図面が煩雑になるのを避けるために、３つの三角プリズムしか図示していないが、実際には、より多くの三角プリズムが配置される。
【００４５】
図９（ｂ）は、観察者が液晶表示装置１１（サブ表示装置１１−１、１１−２を備える）を見た場合の平面図である。プリズムシート２５−１、２５−２を用いてサブ表示装置１１−１、１１−２の表示光を屈折させることで、観察者にとって、サブ表示装置１１−１、１１−２の継ぎ目部、及びサブ表示装置１１−１、１１−２の各々の外周の額縁を見えなくすることができる。
【００４６】
図１１（ａ）は、第２変形例に係る液晶表示装置１１の平面図である。第２変形例では、液晶表示装置１１の画面が４分割される。液晶表示装置１１は、４個のサブ表示装置１１−１〜１１−４を備える。サブ表示装置１１−１〜１１−４の各々は、前述したサブ表示装置１１−１又は１１−２と同じ構成である。図１１（ａ）は、プリズムシートの図示を省略している。
【００４７】
サブ表示装置１１−１〜１１−４はそれぞれ、プリズムシート２５−１〜２５−４を備える。図１２は、第２変形例に係るプリズムシート２５−１〜２５−４の斜視図である。プリズムシート２５−１〜２５−４の各々は、サイズが異なる以外は、第１変形例で示したプリズムシート２５−１又は２５−１と同じ構成である。
【００４８】
図１１（ｂ）は、観察者が液晶表示装置１１（サブ表示装置１１−１〜１１−４を備える）を見た場合の平面図である。プリズムシート２５−１〜２５−４を用いてサブ表示装置１１−１〜１１−４の表示光を屈折させることで、観察者にとって、サブ表示装置１１−１〜１１−４の継ぎ目部、及びサブ表示装置１１−１〜１１−４の各々の外周の額縁を見えなくすることができる。
【００４９】
［４．実施例］
図１３は、実施例に係る映像表示装置１０の模式図である。映像表示装置１０は、液晶表示装置３１、及び液晶表示装置１１（サブ表示装置１１−１、１１−２を備える）を備える。液晶表示装置３１は、メインの画像を表示する一般的な液晶表示装置である。
【００５０】
サブ表示装置１１−１、１１−２は、可動役物（ギミック）として機能する。すなわち、映像表示装置１０は、サブ表示装置１１−１、１１−２を機械的に動かす駆動部（図示せず）を備える。
【００５１】
図１３（ａ）に示すように、サブ表示装置１１−１、１１−２はそれぞれ、プリズムシート２５−１、２５−２を備えているので、サブ表示装置１１−１、１１−２の額縁は、観察者からは見えない。サブ表示装置１１−１、１１−２は、互いに離れて配置される。続いて、図１３（ｂ）に示すように、サブ表示装置１１−１、１１−２は、液晶表示装置３１の中央部に移動し、左右に並んでかつ接するように配置される。この場合、サブ表示装置１１−１、１１−２の間の継ぎ目部や隙間がほぼ見えない。
【００５２】
これにより、液晶表示装置１１は、１つの連続した画像を表示することができる。また、液晶表示装置１１の画像を液晶表示装置３１のメイン画像に効果的に没入させることができる。また、サブ表示装置１１−１とサブ表示装置１１−２とが接触する際の衝撃を低減するために、サブ表示装置１１−１及びサブ表示装置１１−２の額縁を大きくした場合でも、観察者から額縁を見えなくすることができる。
【００５３】
図１４は、他の実施例に係る映像表示装置１０の模式図である。図１４（ａ）において、液晶表示装置１１（サブ表示装置１１−１、１１−２を備える）は、液晶表示装置３１の中央部に配置され、また、サブ表示装置１１−１、１１−２は、左右に並んでかつ接するように配置されている。この時、サブ表示装置１１−１、１１−２の額縁は、観察者からは見えない。続いて、図１４（ｂ）に示すように、サブ表示装置１１−１、１１−２は、互いに離れるように上下に移動する。
【００５４】
次に、比較例について説明する。図１５は、比較例に係る映像表示装置３０の模式図である。映像表示装置３０は、液晶表示装置３１、及びサブ表示装置３２−１、３２−２を備える。サブ表示装置３２−１、３２−２の各々は、液晶表示装置で構成されるが、本実施形態のプリズムシートは備えていない。サブ表示装置３２−１、３２−２はそれぞれ、額縁３３−１、３３−２を備える。観察者には、サブ表示装置３２−１、３２−２の額縁３３−１、３３−２がそのまま見えることになる。
【００５５】
図１５（ａ）に示すように、サブ表示装置３２−１、３２−２は、互いに離れて配置されている。続いて、図１５（ｂ）に示すように、サブ表示装置３２−１、３２−２は、液晶表示装置３１の中央部に移動し、左右に並んでかつ接するように配置される。この場合、サブ表示装置３２−１、３２−２の間の継ぎ目部が見えてしまう。また、サブ表示装置３２−１、３２−２が表示する１つの画像は、サブ表示装置３２−１、３２−２の間の継ぎ目部で途切れてしまう。さらに、サブ表示装置３２−１、３２−２の外周の額縁が観察者に見えるため、サブ表示装置３２−１、３２−２の画像が液晶表示装置３１のメイン画像に没入しているようには見えない。
【００５６】
特に、サブ表示装置３２−１、３２−２を可動役物として使用する場合、サブ表示装置３２−１とサブ表示装置３２−２とが接触する際の衝撃を低減するために、サブ表示装置３２−１とサブ表示装置３２−２との額縁を大きくする場合がある。このような対策を講じた場合、サブ表示装置３２−１とサブ表示装置３２−２との継ぎ目部がより大きくなるため、サブ表示装置３２−１とサブ表示装置３２−２とが表示する画像の一体感がより低減する。
【００５７】
［５．効果］
以上詳述したように第１実施形態では、映像表示装置１０は、額縁２４Ａ−１を備える液晶表示パネル２４−１と、液晶表示パネル２４−１と第１方向に並んで配置され、額縁２４Ａ−１を備える液晶表示パネル２４−１と、液晶表示パネル２４−１、２４−２と距離を空けてそれぞれ配置されたプリズムシート２５−１、２５−２とを備える。プリズムシート２５−１は、土台２５Ａ−１と、土台２５Ａ−１上に設けられた複数の三角プリズム２５Ｂ−１とを備え、複数の三角プリズム２５Ｂ−１の各々は、液晶表示パネル２４−１と液晶表示パネル２４−２との継ぎ目部２６から離れる方向に傾く傾斜面を有する。また、プリズムシート２５−２は、土台２５Ａ−２と、土台２５Ａ−２上に設けられた複数の三角プリズム２５Ｂ−２とを備え、複数の三角プリズム２５Ｂ−２の各々は、継ぎ目部２６から離れる方向に傾く傾斜面を有する。そして、プリズムシート２５−１、２５−２のパラメーター、及び額縁２４Ａ−１、２４Ａ−２の幅は、プリズムシート２５−１、２５−２を介して液晶表示パネル２４−１、２４−２を正面から見た場合に、継ぎ目部２６における額縁２４Ａ−１、２４Ａ−２が見えないように設定される。
【００５８】
従って第１実施形態によれば、液晶表示パネル２４−１と液晶表示パネル２４−２とが例えば左右に並んで配置された場合に、継ぎ目部２６における額縁２４Ａ−１、２４Ａ−２を観察者から見えなくすることができる。これにより、本実施形態の映像表示装置を可動役物として使用することで、より効果的な表示及び演出を行うことが可能となる。例えば、１つの連続した表示だと思っていたものが、急に表示が２つに分かれることにより、よりインパクト感、及びよりサプライズ感を出せる。
【００５９】
また、額縁が見えないことで、２つの小型液晶表示パネルを用いてより大型の画面を実現できる。
【００６０】
また、液晶表示パネル２４−１と液晶表示パネル２４−２とが接触する際の衝撃を緩和するために、額縁２４Ａ−１、２４Ａ−２の幅を大きくすることができ、さらに、これら額縁２４Ａ−１、２４Ａ−２の幅を大きくした場合でも、これら額縁２４Ａ−１、２４Ａ−２を見えなくすることができる。
【００６１】
また、継ぎ目部２６以外の額縁を見えなくすることもできる。これにより、液晶表示パネル２４−１、２４−２により生成したサブ画像をメイン画像により効果的に没入させることができる。
【００６２】
［第２実施形態］
第１実施形態で説明した構成では、液晶表示装置１１の正面から画面を見ている場合、観察者には、サブ表示装置１１−１とサブ表示装置１１−２との継ぎ目部は見えない。しかし、図１６及び図１７に示すように、角度θだけ斜め方向から画面２１−１、２１−２を見た場合、観察者によって継ぎ目部２６（具体的には、液晶表示パネル２４−２の額縁２４Ａ−２）が見えてしまう。そこで、第２実施形態では、角度θだけ斜め方向から画面を見た場合でも、サブ表示装置１１−１とサブ表示装置１１−２との継ぎ目部が見えないように、映像表示装置１０を構成する。
【００６３】
［１．液晶表示装置１１の構成］
図１８（ａ）は、プリズムシート２５−１のパラメーターを説明する断面図であり、図１８（ｂ）は、プリズムシート２５−２のパラメーターを説明する断面図である。以下では、角度θだけ画面の右側から液晶表示装置１１を見た場合における表示光の光路について説明する。
【００６４】
液晶表示パネル２４−１から出射した表示光がプリズムシート２５−１を透過した後の光のズレ量ΔＬは、以下の式（４）で表される。
【００６５】
△Ｌ＝（ｘ・tanα＋ｄ２）・tan（α−βＬ）＋Ｄ・tanγＬ         ・・・（４）
０≦ｘ＜ｄ１／tanα
βＬ＝sin−１｛（１／ｎ）・sin（α−θ）｝
γＬ＝sin−１｛ｎ・sin（α−βＬ）｝
また、液晶表示パネル２４−２から出射した表示光がプリズムシート２５−２を透過した後の光のズレ量ΔＲは、以下の式（１）で表される。
【００６６】
△Ｒ＝（ｘ・tanα＋ｄ２）・tan（α−βＲ）＋Ｄ・tanγＲ         ・・・（５）
０≦ｘ＜ｄ１／tanα
βＲ＝sin−１｛（１／ｎ）・sin（α＋θ）｝
γＲ＝sin−１｛ｎ・sin（α−βＲ）｝
角度θだけ画面の右側から液晶表示装置１１を見た場合、観察者に見える額縁は、液晶表紙パネル２４−２の額縁２４Ａ−２である。ｘ＝０の場合における光のズレ量Δ０Ｒは、式（５）から以下の式（６）が導かれる。
【００６７】
△０Ｒ＝ｄ２・tan（α−βＲ）＋Ｄ・tanγＲ         ・・・（６）
βＲ＝sin−１｛（１／ｎ）・sin（α＋θ）｝
γＲ＝sin−１｛ｎ・sin（α−βＲ）｝
図１９（ａ）は、プリズムシート２５−１における角度θと光のズレ量Δ０Ｌとの一例を示す表であり、図１９（ｂ）は、プリズムシート２５−２における角度θと光のズレ量Δ０Ｒとの一例を示す表である。図１９では、α＝４０°、ｄ１＝０．２５ｍｍ、ｄ２＝１．７５ｍｍ、Ｄ＝１５ｍｍ、ｎ＝１．４９を一例として用いている。
【００６８】
例えばθ＝２０°である場合、光のズレ量Δ０Ｒは、図１９（ｂ）に示すように１．８９ｍｍとなる。よって、上記したパラメーターの値を用いて液晶表示装置１１を構成した場合、継ぎ目部２６における額縁２０−２の幅が１．８９ｍｍである場合、継ぎ目部２６がちょうど見えない状態となる。
【００６９】
従って、角度θだけ画面の右側から液晶表示装置１１を見た場合、継ぎ目部２６における額縁２０−１の幅Ｗ２Ｒは、以下の式（７）を満たすように設定される。
【００７０】
Ｗ２Ｒ≦Δ０Ｒ＝ｄ２・tan（α−βＲ）＋Ｄ・tanγＲ         ・・・（７）
βＲ＝sin−１｛（１／ｎ）・sin（α＋θ）｝
γＲ＝sin−１｛ｎ・sin（α−βＲ）｝
式（７）を満たすように、額縁２０−１の幅Ｗ２Ｒを設定することで、角度θだけ画面の右側から液晶表示装置１１を見た場合、観察者から継ぎ目部２６が見えない状態を実現できる。
【００７１】
また、継ぎ目部２６における額縁２０−２の幅Ｗ２Ｌを、上記式（７）と同じ幅Ｗ２Ｒにすることで、角度θだけ画面の左側から液晶表示装置１１を見た場合、観察者から継ぎ目部２６が見えない状態を実現できる。
【００７２】
［２．実施例］
図２０は、正面から画面を見た場合に継ぎ目部が見えないように構成された液晶表示装置１１の斜視図である。図２０に示すように、観察者が正面から画面を見る場合を想定して液晶表示装置１１を設計した場合、液晶表示パネル２４−１、２４−２の額縁２４Ａ−１、２４Ａ−２は観察者から見えない。この時、液晶表示パネル２４−１、２４−２の画像ＩＭ１、ＩＭ２には、１つの連続した画像を半分に分けた画像が用いられる。
【００７３】
図２１は、図２０に示した液晶表示装置１１を角度θだけ右側から見た様子を説明する図である。図２１では、液晶表示パネル２４−２の額縁２４Ａ−２が観察者から見える。
【００７４】
以下に、正面から画面を見た場合と、角度θだけ斜めから画面を見た場合との両方において、継ぎ目部が見えないように構成された液晶表示装置１１の実施例について説明する。
【００７５】
図２２は、実施例に係る液晶表示パネル２４−１、２４−２が表示する画像を説明する図である。図２２において、ケース２２−１、２２−２の枠に対応する額縁はそれぞれ、液晶表示パネル２４−１、２４−２の額縁２４Ａ−１、２４Ａ−２に含まれるものとして、図示を省略する。液晶表示パネル２４−１が表示する画像ＩＭ１と、液晶表示パネル２４−２が表示する画像ＩＭ２とは、継ぎ目部側の画像が一部重複するように構成される。図２２では、画像ＩＭ１の領域ＡＲ１と、画像ＩＭ２の領域ＡＲ２とは重複している。
【００７６】
図２３は、実施例に係る液晶表示装置１１を正面から画面を見た様子を説明する斜視図である。図２３の例では、図２０の例に比べて、液晶表示パネル２４−１、２４−２とプリズムシート２５−１、２５−２との距離を離すことで、液晶表示パネル２４−１、２４−２の額縁２４Ａ−１、２４Ａ−２を観察者から見えないようにしている。図２３では、観察者は、領域ＡＲ１、ＡＲ２以外の画像を利用することで、１つの連続した画像を見ることができる。
【００７７】
図２４は、実施例に係る液晶表示装置１１を角度θだけ右側から画面を見た様子を説明する斜視図である。観察者は、画像ＩＭ２の領域ＡＲ２を利用することで、１つの連続した画像を見ることができる。
【００７８】
制御回路１６は、図２２に示した画像ＩＭ１、ＩＭ２を表示するための画像データＤＴ１、ＤＴ２を生成する。そして、制御回路１６は、サブ表示装置１１−１（液晶表示パネル２４−１）に画像データＤＴ１を送り、サブ表示装置１１−２（液晶表示パネル２４−２）に画像データＤＴ２を送る。
【００７９】
次に、画像の重複領域の幅に関する条件について説明する。画像ＩＭ１の領域ＡＲ１の幅と、画像ＩＭ２の領域ＡＲ２の幅とは、同じであり、ここではＷ３と表記する。
【００８０】
オーバーラップ幅Ｗ３は、“図２３における正面から画面を見た場合の光のズレ量Δ０”から“図２４における角度θだけ右側から画面を見た場合の光のズレ量Δ０Ｒ”を引いた値に基づいて算出される。すなわち、オーバーラップ幅Ｗ３は、以下の式（８）で表される。
【００８１】
Ｗ３≧ｄ２｛tan（α−β）−tan（α−βＲ）｝＋Ｄ（tanγ−tanγＲ）     ・・・（８）
β＝sin−１｛（１／ｎ）・sinα｝
γ＝sin−１｛ｎ・sin（α−β）｝
βＲ＝sin−１｛（１／ｎ）・sin（α＋θ）｝
γＲ＝sin−１｛ｎ・sin（α−βＲ）｝
実際には、Ｗ３は、右辺とイコール又は近似であるか、例えば製造誤差を考慮した値の分だけ右辺より大きい値であることが望ましい。制御回路１６は、式（３）を満たすように画像データＤＴ１、ＤＴ２を生成する。これにより、正面から画面を見た場合と、角度θだけ斜めから画面を見た場合との両方において、継ぎ目部が見えないようにすることができる。
【００８２】
［３．効果］
以上詳述したように第２実施形態によれば、正面から画面を見た場合だけでなく、角度θだけ斜めから画面を見た場合でも、継ぎ目部２６における額縁２４Ａ−１、２４Ａ−２を観察者から見えなくすることができる。
【００８３】
また、一部が重複した２つの画像ＩＭ１、ＩＭ２を液晶表示パネル２４−１、２４−２に表示させることで、１つの連続した画像を表示できる。
【００８４】
なお、第１実施形態の変形例を第２実施形態に適用することも可能である。
【００８５】
上記各実施形態は、特に、遊技機としてのパチンコ機、及びスロットマシンに適用することが可能である。しかし、上記各実施形態は、遊技機に限定されるものではなく、２つ以上の液晶表示パネルが常時又は一時的に並んで配置されるような構成を有する映像表示装置全般に適用できる。
【００８６】
本発明は、上記実施形態に限定されるものではなく、その要旨を逸脱しない範囲内で、構成要素を変形して具体化することが可能である。さらに、上記実施形態には種々の段階の発明が含まれており、１つの実施形態に開示される複数の構成要素の適宜な組み合わせ、若しくは異なる実施形態に開示される構成要素の適宜な組み合わせにより種々の発明を構成することができる。例えば、実施形態に開示される全構成要素から幾つかの構成要素が削除されても、発明が解決しようとする課題が解決でき、発明の効果が得られる場合には、これらの構成要素が削除された実施形態が発明として抽出されうる。
【符号の説明】
【００８７】
１０…映像表示装置、１１…液晶表示装置、１２…走査ドライバ、１３…信号ドライバ、１４…共通電圧供給回路、１５…電圧発生回路、１６…制御回路、１７…画素、１８…スイッチング素子、２０…額縁、２１…画面、２２…ケース、２３…光源部、２４…液晶表示パネル、２４Ａ…額縁、２５…プリズムシート、２５Ａ…土台、２５Ｂ…三角プリズム、２６…継ぎ目部、３０…映像表示装置、３１、３２…液晶表示装置、３３…額縁。
【図１】
2015166832.tif 000003
【図２】
2015166832.tif 000004
【図３】
2015166832.tif 000005
【図４】
2015166832.tif 000006
【図５】
2015166832.tif 000007
【図６】
2015166832.tif 000008
【図７】
2015166832.tif 000009
【図８】
2015166832.tif 000010
【図９】
2015166832.tif 000011
【図１０】
2015166832.tif 000012
【図１１】
2015166832.tif 000013
【図１２】
2015166832.tif 000014
【図１３】
2015166832.tif 000015
【図１４】
2015166832.tif 000016
【図１５】
2015166832.tif 000017
【図１６】
2015166832.tif 000018
【図１７】
2015166832.tif 000019
【図１８】
2015166832.tif 000020
【図１９】
2015166832.tif 000021
【図２０】
2015166832.tif 000022
【図２１】
2015166832.tif 000023
【図２２】
2015166832.tif 000024
【図２３】
2015166832.tif 000025
【図２４】
2015166832.tif 000026